(57)【要約】【課題】電気機器を引き抜こうとする力が直接機器本体に加わったとしても、電気機器が外れにくいソケットを提供する。【解決手段】ソケットは、リレー本体の底部側が嵌入される嵌合部１２を有するソケット本体１０と、嵌合部１２に挿入されたリレー本体の上部の角に係脱自在に係止する係止爪２４を有し、この係止爪２４がリレー本体の角に係止する係止位置とリレー本体の角から離脱する非係止位置との間で回動自在にソケット本体１０に取着された一対の脱着用レバー２０とを備えており、脱着用レバー２０をソケット本体１０に回動自在に枢支する枢支軸２３を通り、リレー本体の挿抜方向に略平行な線分Ｌに対して、係止位置および非係止位置における係止爪２４の位置が同じ側に位置するように枢支軸２３を配置してある。【選択図】図１
2006032285.tif 000002
【特許請求の範囲】
【請求項１】
機器本体の底面から複数の端子が突出する電気機器の底部側が嵌入される嵌合部を有し前記機器本体の底面に対向する前記嵌合部の底面に前記各端子と電気的に接続する複数の接続端子が配設されたソケット本体と、
前記嵌合部に嵌入された機器本体の被係止部に係脱自在に係止する係止部を有し当該係止部が前記被係止部に係止する係止位置と前記被係止部から離脱する非係止位置との間で回動自在にソケット本体に取着されたロック用レバーとを備え、
前記ロック用レバーを前記ソケット本体に回動自在に枢支する枢支軸を通り、前記機器本体の挿抜方向に略平行な線分に対して、前記係止位置および前記非係止位置における前記係止部の位置が同じ側に位置するように前記枢支軸を配置したことを特徴とするソケット。
【請求項２】
前記ロック用レバーの回動中心側の端部を二股に分岐させて各々の分岐片の外側面に前記枢支軸をそれぞれ突設するとともに、前記嵌合部の底面に前記各分岐片が挿入される取付溝を設け、該取付溝の内側面に前記各枢支軸を枢支する軸受部を設けたことを特徴とする請求項１記載のソケット。
【請求項３】
前記取付溝の内側面と対向する前記分岐片の外側面において、前記枢支軸に対して前記分岐片の基部側の部位に、前記枢支軸から遠ざかるほど外側への突出量が大きくなり、前記ロック用レバーを前記係止位置から前記非係止位置と反対側に回転させると前記ソケット本体に当接して前記分岐片を内側に撓ませる力を発生させる第１の傾斜面を形成したことを特徴とする請求項２記載のソケット。
【請求項４】
前記第１の傾斜面と対向する前記ソケット本体の部位に、前記第１の傾斜面と略平行し、前記ロック用レバーを前記係止位置から前記非係止位置と反対側に回転させると前記第１の傾斜面に当接する第２の傾斜面を形成したことを特徴とする請求項３記載のソケット。
【発明の詳細な説明】
【技術分野】
【０００１】
本発明は、リレーやタイマなどの電気機器が着脱自在に取着されるソケットに関するものである。
【背景技術】
【０００２】
この種のソケットとしては、図８に示すようにソケット本体１０と、一対の脱着用レバー２０とで構成されるものが従来より提供されている（例えば特許文献１参照）。
【０００３】
ソケット本体１０は合成樹脂成型品からなり、扁平な横長の直方体状であって、長手方向（左右方向）に沿う両側面の上側縁両端部から上側に向かってリレー本体４１の左右両側部をガイドするガイド片１１が一体に突設されている。ここで、ソケット本体１０の上面と各ガイド片１１とで囲まれる空間から、リレー本体４１の底部側が嵌入される嵌合部１２が構成され、嵌合部１２の底面（つまりソケット本体１０の上面）にはリレー本体４１の底面から突出する複数の端子（図示せず）にそれぞれ電気的に接続される複数の接続端子３０が配設されている。なお各接続端子３０はソケット本体１０の下面から下方に突出し、この突出部分が外部接続用の端子となっている。
【０００４】
また脱着用レバー２０は合成樹脂成型品からなり、ソケット本体１０上面の左右両端部にそれぞれ凹設された取付溝（図示せず）内に、リレー本体４１の底面と対向して配置される押圧片２９と、この押圧片２９の一端部から略垂直な方向に突出してリレー本体４１の側面に対向配置されるアーム部２１とで略Ｌ字形に形成されており、押圧片２９とアーム部２１との連結部位に形成した枢支軸２３を取付溝の内側面に設けた軸受穴に枢支させることで脱着用レバー２０がソケット本体１０に回動自在に枢支される。
【０００５】
ここで、リレーの非取付時における脱着用レバー２０の位置を図８中に点線で示してあり、アーム部２１の先端側が外向き（リレー本体４１から離れる方向）に倒れ、それに応じて押圧片２９の先端がソケット本体１０の上面から上側に突出している。
【０００６】
このソケットにリレーを取り付ける際には、端子が突出する面を下向きにしてリレー本体４１を図中上側から嵌合部１２内に嵌入すると、リレー本体４１の底面によって押圧片２９の先端が下向きに押され、アーム部２１の先端部がリレー本体４１に近付く向きに脱着用レバー２０が回転する。そして、リレー本体４１の底面がソケット本体１０の上面に当接する位置までリレー本体４１を嵌合部１２内に挿入すると、脱着用レバー２０が図中に実線で示す位置まで回転し、アーム部２１の上側部に設けた係止爪２４がリレー本体４１の上部の角に係止して、リレー本体４１の抜け止めが行われる。
【０００７】
一方、ソケットからリレーを取り外す際には、アーム部２１の上側部を外側（リレー本体４１から離れる方向）に倒して脱着用レバー２０を回転させると、係止爪２４がリレー本体４１から離れるとともに、脱着用レバー２０の回転に伴って押圧片２９の先端側がソケット本体１０の上面から上側に突出し、リレー本体４１の底面を上側に押し上げるので、リレー本体４１が嵌合部１２から押し出され、リレー本体４１を容易に引き抜くことができる。
【特許文献１】特開２００３−３０８７７０号公報（段落番号［０００２］、［０００３］、及び、第２４図）
【発明の開示】
【発明が解決しようとする課題】
【０００８】
ところで、上述のソケットでは、係止爪２４がリレー本体４１の上部の角と係止する位置まで脱着用レバー２０を回動させた状態（図８中に実線で示す位置）で係止爪２４の位置に対して枢支軸２３を外側寄り（リレー本体４１と反対側）に配置している。すなわち、枢支軸２３を通ってリレー本体４１の挿抜方向（図中のＤ方向）に略平行な線分Ｌに対して、係止位置および非係止位置における係止爪２４の位置が反対側に位置している。そのため、ソケットに取着されたリレーを引き抜こうとうする力がリレー本体４１に直接加わって、係止爪１４を上向きに押す力（Ａ方向の力）が加わると、係止爪２４を線分Ｌ上の位置まで移動させるように脱着用レバー２０を外側に倒そうとする力（Ｂ方向の力）が発生して、アーム部２１がリレー本体４１から離れる方向に脱着用レバー２０が回動してしまい、係止爪２４がリレー本体４１の上部の角から離脱するとともに、押圧片２９の先端部によってリレー本体４１が上向きに押されるから、リレー本体４１がソケットから外れてしまう可能性があった。
【０００９】
本発明は上記問題点に鑑みて為されたものであり、その目的とするところは、電気機器を引き抜こうとする力が直接機器本体に加わったとしても、電気機器が外れにくいソケットを提供することにある。
【課題を解決するための手段】
【００１０】
上記目的を達成するために、請求項１の発明は、機器本体の底面から複数の端子が突出する電気機器の底部側が嵌入される嵌合部を有し機器本体の底面に対向する嵌合部の底面に各端子と電気的に接続する複数の接続端子が配設されたソケット本体と、嵌合部に嵌入された機器本体の被係止部に係脱自在に係止する係止部を有し当該係止部が被係止部に係止する係止位置と被係止部から離脱する非係止位置との間で回動自在にソケット本体に取着されたロック用レバーとを備え、ロック用レバーをソケット本体に回動自在に枢支する枢支軸を通り、機器本体の挿抜方向に略平行な線分に対して、係止位置および非係止位置における係止部の位置が同じ側に位置するように枢支軸を配置したことを特徴とする。
【００１１】
請求項２の発明は、請求項１の発明において、ロック用レバーの回動中心側の端部を二股に分岐させて各々の分岐片の外側面に枢支軸をそれぞれ突設するとともに、嵌合部の底面に各分岐片が挿入される取付溝を設け、該取付溝の内側面に各枢支軸を枢支する軸受部を設けたことを特徴とする。
【００１２】
請求項３の発明は、請求項２の発明において、取付溝の内側面と対向する分岐片の外側面において、枢支軸に対して分岐片の基部側の部位に、枢支軸から遠ざかるほど外側への突出量が大きくなり、ロック用レバーを係止位置から非係止位置と反対側に回転させるとソケット本体に当接して分岐片を内側に撓ませる力を発生させる第１の傾斜面を形成したことを特徴とする。
【００１３】
請求項４の発明は、請求項３の発明において、第１の傾斜面と対向するソケット本体の部位に、第１の傾斜面と略平行し、ロック用レバーを係止位置から非係止位置と反対側に回転させると第１の傾斜面に当接する第２の傾斜面を形成したことを特徴とする。
【発明の効果】
【００１４】
請求項１の発明によれば、電気機器の取付時に電気機器を引き抜こうとする力が機器本体に直接加えられた場合、機器本体の被係止部に係止している係止部に引抜力が加わるが、枢支軸を通って挿抜方向に略平行な線分に対して、係止位置および非係止位置における係止部の位置が同じ側に位置するように枢支軸を配置しているため、係止部に引抜力が加えられると、係止部を上記線分上の位置まで移動させるような力がロック用レバーに加わって、ロック用レバーが係止位置から非係止位置と反対側に回転しようとし、そのため係止部と被係止部との係止状態が外れることがなく、機器本体の脱落を防止できるという効果がある。
【００１５】
請求項２の発明によれば、ソケット本体の軸受部に軸支される枢支軸を、ロック用レバーの回動中心側の端部を二股に分岐させた分岐片にそれぞれ形成しているので、分岐片を撓ませることによってロック用レバーの枢支軸を軸受部に容易に枢支させることができ、分岐片に弾性を持たせることでソケット本体の剛性を確保して、機器本体の保持力を確保できるという効果がある。
【００１６】
請求項３の発明によれば、ロック用レバーを係止位置を越えて回転させると、第１の傾斜面がソケット本体に当接することで分岐片を内側に撓ませる力が発生するので、分岐片に形成した枢支軸を軸受部から外して、ロック用レバーを容易に取り外すことができる。
【００１７】
請求項４の発明によれば、ロック用レバーを係止位置を越えて回転させると、第１の傾斜面が第２の傾斜面に当接することで分岐片を内側に撓ませる力が発生するので、請求項３の発明と同様、分岐片に形成した枢支軸を軸受部から外して、ロック用レバーを容易に取り外すことができる。
【発明を実施するための最良の形態】
【００１８】
以下に本発明をリレーが着脱自在に装着されるリレーソケットに適用した実施形態について図面を参照して説明する。尚、以下の説明では特に断りが無い限り、図１に示す方向において上下左右の方向を規定し、図１の正面を前面として説明を行う。
【００１９】
本実施形態のリレーソケットは、図６及び図７に示すように横長の角形リレー４０が着脱自在に取着されるものであり、ソケット本体１０と、一対の脱着用レバー２０とを主要な構成として備える。
【００２０】
ソケット本体１０は合成樹脂成型品からなり、図４（ａ）〜（ｃ）に示すように扁平な横長の直方体状であって、長手方向に沿う両側面の上側縁左右両端部からリレー本体４１の側面の左右両端部をそれぞれガイドする略平板状のガイド片１１が上側に向かって突出しており、ソケット本体１０の上面と４つのガイド片１１とで囲まれる空間から、リレー本体４１の底部側が嵌入される嵌合部１２が構成される。嵌合部１２の底面（つまりソケット本体１０の上面）には、リレー本体４１の底面から突出する複数のリード端子４２に対応する位置に、ソケット本体１０を上下方向に貫通する複数の端子保持孔１３が形成されており、各々の端子保持孔１３にはリード端子４２に電気的に接続される接続端子３０が圧入固定されている。各接続端子３０は、端子保持孔１３内に配置されてリード端子４２に電気的に接続されるバネ受け部３１と、端子保持孔１３を通してソケット本体１０の下面から下方に突出する端子部３２とを有し、この端子部３２が外部接続用の端子となっている。またソケット本体１０の左右両端部にある各一対のガイド片１１の対向面には、上下方向に伸びる２条のリブ１１ａが互いに対向する部位に突設されている。
【００２１】
一方、脱着用レバー２０は合成樹脂成型品からなり、図５（ａ）〜（ｃ）に示すようにリレー本体４１の短幅方向に沿う側面に対向して配置されるアーム部２１を有しており、このアーム部２１の回動中心側の端部（下端部）は二股に分かれ、二股に分かれた先端部からはそれぞれアーム部２１と略直交する方向に押圧片２２（分岐片）が突出している。
【００２２】
各押圧片２２の先端側は互いに平行に配置されており、この平行する部位の外側面（互いに対向する面と反対側の面）に枢支軸２３が突設されている。また各押圧片２３の外側面には、枢支軸２３に対して基部側の部位に、枢支軸２３から遠ざかるほど外側への突出量が大きくなるような傾斜面（第１の傾斜面）２２ａが形成されており、各押圧片２３の先端側の間隔は基部側に比べて幅狭となっている。
【００２３】
またアーム部２１の反対側の端部（上端部）にはリレー本体４１の上部の角（被係止部）に係止する係止爪２４（係止部）が突設され、さらにアーム部２１の上下方向中間部には側方に突出する係止突起２５が突設されている。
【００２４】
一方、ソケット本体１０上面の左右両端部にはそれぞれ一対の押圧片２２が挿入される取付溝１４，１４が凹設されており、各取付溝１４の内側面には枢支軸２３と嵌合して、脱着用レバー２０を回動自在に枢支する軸受孔１５が形成されている。
【００２５】
このリレーソケットを組み立てるに当たっては、脱着用レバー２０とソケット本体１０の向きを合わせて脱着用レバー２０の押圧片２２をソケット本体１０の取付溝１４内に上側から挿入すると、枢支軸２３が取付溝１４の内側面に押圧されることによって、押圧片２２が内側に撓められ、枢支軸２３が取付溝１４の内側面に開口した軸受孔１５に嵌ることで、係止爪２４がリレー本体４１の角に係止する係止位置とリレー本体４１の角から離脱する非係止位置との間で回動自在に脱着用レバー２０が枢支される。なお各枢支軸２３の下半分には下側ほど突出量が小さくなるようなテーパ面２３ａが形成されており、このテーパ面２３ａと押圧片２２の弾性とで、脱着用レバー２０をソケット本体１０に容易に取り付けることができるようになっている。
【００２６】
次に、以上のような構成を有するリレーソケットにリレー４０を着脱する手順について説明する。リレーの非取付時における脱着用レバー２０の位置を図７（ｂ）中に点線で示してあり、アーム部２１の先端側が外向き（リレー本体４１から離れる方向）に倒れ、それに応じて押圧片２２の先端がソケット本体１０の上面から上側に突出している。
【００２７】
このソケットにリレーを接続する際には、リード端子４２が突出する面を下向きにしてリレー本体４１を上側から嵌合部１２内に嵌入すると、リレー本体４１の底面によって押圧片２２の先端が下向きに押され、アーム部２１がリレー本体４１に近付く向きに脱着用レバー２０が回転する。そして、リレー本体４１の底面がソケット本体１０の上面に当接する位置までリレー本体４１を嵌合部１２内に挿入すると、脱着用レバー２０が図６（ｂ）中に実線で示す位置まで回転し、アーム部２１の上側部に設けた係止爪２４がリレー本体４１の上部の角に係止して、リレー本体４１の抜け止めが行われる。また脱着用レバー２０を係止位置まで回動させると、脱着用レバー２０の係止突起２５が外側のリブ１１ａを乗り越えて、一対のリブ１１ａの間に嵌るので、クリック感を与えることができる。
【００２８】
一方、ソケットからリレー４０を取り外す際には、アーム部２１の上側部を外側（リレー本体４１から離れる方向）に倒して脱着用レバー２０を回転させると、係止爪２４がリレー本体４１の上部の角から離脱するとともに、脱着用レバー２０の回転に伴って押圧片２２の先端側がソケット本体１０の上面から上側に突出し、リレー本体４１の底面を上側に押し上げるので、リレー本体４１が嵌合部１２から押し出され、リレー本体４１を容易に引き抜くことができる。
【００２９】
ところで、図８に示す従来のリレーソケットでは、脱着用レバー２０が係止位置まで回動した状態で係止爪２４の位置に対して枢支軸２３の位置を外側寄り（リレー本体４１と反対側に寄せて）配置しているのに対し、本実施形態では図１に示すように脱着用レバー２０が係止位置まで回動した状態で係止爪２４の位置に対して枢支軸２３の位置をリレー本体４１寄りに配置してある。つまり、枢支軸を通り、リレー本体４１の挿抜方向（図１中のＤ方向）に略平行な線分Ｌに対して、係止位置および非係止位置における係止爪２４の位置が同じ側に位置するように枢支軸２３を配置している。したがって、リレー４０の取付時にリレー４０を引き抜こうとする力が直接リレー本体４１に加えられた場合に、リレー本体４１の上部の角に係止している係止爪２４にこの引抜力（図１中のＡ方向の力）が加わると、係止爪２４を線分Ｌ上の位置まで移動させるような力が脱着用レバー２０に加わるが、線分Ｌに対して係止位置および非係止位置における係止爪２４の位置が同じ側に位置するように枢支軸２３を配置しているので、脱着用レバー２０を係止位置から非係止位置と反対側に回転させようとする力（図１中のＢ方向の力）が作用し、そのため係止爪２４とリレー本体４１の角との係止状態が外れることがなく、リレー本体４１の脱落を防止することができる。
【００３０】
また背景技術で説明したソケットでは、係止爪２４の位置に対して枢支軸２３の位置を外側寄りに配置してあるので、図９に示すようにソケット本体１０側で、枢支軸２３を枢支する軸受穴１６が形成された部位の外側にスリット１７を形成して、軸受穴１６が形成された部位（軸受片１８）に弾性を持たせても、リレー本体４１が嵌入される嵌合部１２の剛性には影響がなく、軸受片１８を撓ませることで、軸受穴１６と枢支軸２３とを容易に係止させることが可能であるが、本実施形態では係止爪２４の位置に対して枢支軸２３を内側寄り（リレー本体４１寄り）に配置しているので、枢支軸２３を枢支させるためにソケット本体１０側に可撓性を持たせると、リレー本体４１の下側部が嵌入される嵌合部１２の剛性が低下して、リレー本体４１の保持力が十分に得られなくなる可能性がある。そこで、本実施形態では脱着用レバー２０の下端部を二股に分岐させ、二股に分かれた先端部からそれぞれ押圧片２２を突出させて、各押圧片２２の外側面に枢支軸２３を形成しており、一対の枢支軸２３がそれぞれ形成された部位（押圧片２２）の間にスリット２２ｂを設けているので、枢支軸２３を突設した部位（押圧片２２）に弾性を持たせることができ、押圧片２２側が撓むことでソケット本体１０側に弾性を持たせる必要が無くなり、ソケット本体１０の剛性を確保して、リレー本体４１の保持力を十分に確保することが可能になる。
【００３１】
なお取付溝１４の内側面と対向する押圧片２２の外側面において、枢支軸２３に対して押圧片２２の基部側の部位に、枢支軸２３から遠ざかるほど外側（回転軸方向の両側方向）への突出量が大きくなり、且つ、脱着用レバー２０を係止位置から非係止位置と反対側に回転させるとソケット本体１０に当接して押圧片２２を内側へ撓ませる力を発生させる傾斜面２２ａが形成されている。また、この傾斜面２２ａに対向する取付溝１４の内側面に、傾斜面２２ａと略平行し、脱着用レバー２０を係止位置から非係止位置と反対側に回転させると傾斜面２２ａが当接する傾斜面（第２の傾斜面）１４ａが形成されている。而して、脱着用レバー２０を係止位置から非係止位置と反対側へ回転させると、押圧片２２の傾斜面２２ａが取付溝１４の内側面に設けた傾斜面１４ａに当接することによって、押圧片２２が内側（取付溝１４の内側面から遠ざかる方向）に撓められ、押圧片２２の枢支軸２３が軸受孔１５から外れるので、脱着用レバー２０をソケット本体１０から容易に取り外すことができ、脱着用レバー２０の交換にも容易に対応できる。
【００３２】
尚、本実施形態ではリレーが着脱自在に装着されるリレーソケットを例に説明を行ったが、リレー以外のタイマなどの電気機器が装着されるソケットに本発明の技術的思想を適用しても良いことは言うまでもない。
【図面の簡単な説明】
【００３３】
【図１】本実施形態のソケットの正面図である。
【図２】同上の分解斜視図である。
【図３】同上の外観斜視図である。
【図４】同上に用いるソケット本体を示し、（ａ）は正面図、（ｂ）は側面図、（ｃ）は下面図である。
【図５】同上をに用いる脱着用レバーを示し、（ａ）は正面図、（ｂ）は上面図、（ｃ）は側面図である。
【図６】同上にリレーを取り付けた状態を示し、（ａ）は外観斜視図、（ｂ）は正面図である。
【図７】同上からリレーを外した状態を示し、（ａ）は外観斜視図、（ｂ）は正面図である。
【図８】従来のソケットの正面図である。
【図９】従来のソケットの一部省略せる分解斜視図である。
【符号の説明】
【００３４】
１０  ソケット本体
１２  嵌合部
２０  脱着用レバー
２３  枢支軸
２４  係止爪
Ｌ  線分
【図１】
2006032285.tif 000003
【図２】
2006032285.tif 000004
【図３】
2006032285.tif 000005
【図４】
2006032285.tif 000006
【図５】
2006032285.tif 000007
【図６】
2006032285.tif 000008
【図７】
2006032285.tif 000009
【図８】
2006032285.tif 000010
【図９】
2006032285.tif 000011